(57)【特許請求の範囲】
【請求項１】
横架材の少なくとも一方の端部に楔部を備える足場部材であって、
前記楔部は、
それぞれ前記横架材の端部に一部が固着されており、前記横架材の軸方向に交差する上下方向に延びていると共に、下端に向かって幅が減少するテーパ状となった一対の側面部、
一対の該側面部を前記横架材の端部に固着された側とは反対側で連結している中間面部、
一対の前記側面部の下端を連結することにより前記楔部の下端を閉端としている閉端部、及び、
一対の前記側面部の上端を連結している上面部に貫通孔を設けることにより、又は一対の前記側面部の上辺を開端とすることにより形成されている挿通孔部を有し、
一対の前記側面部それぞれにおいて前記中間面部とは反対側の辺が、少なくとも前記閉端部の近傍で開端となっている楔部本体と、
長板状で、前記挿通孔部を介して前記楔部本体の内部空間に挿入されており、上下方向の長さが、前記挿通孔部の周縁から前記閉端部までの長さより長い抜け止め体、
該抜け止め体の上端に設けられた前記挿通孔部を通過不能な突起部、
前記抜け止め体の長手方向の一対の側辺のうち一方の途中において、切り欠き状に形成された引掛け部、及び
該引掛け部より下端側で、一対の前記側辺の他方から突設された引掛け案内部、を有する抜け止め部材と、
を具備することを特徴とする足場部材。
【請求項２】
横架材の少なくとも一方の端部に楔部を備える足場部材と、
外周面に横断面コ字形のブラケットが設けられた足場支柱と、を具備する足場部材の連結構造であって、
前記楔部は、
それぞれ前記横架材の端部に一部が固着されており、前記横架材の軸方向に交差する上下方向に延びていると共に、下端に向かって幅が減少するテーパ状となった一対の側面部、
一対の該側面部を前記横架材の端部に固着された側とは反対側で連結している中間面部、
一対の前記側面部の下端を連結することにより前記楔部の下端を閉端としている閉端部、及び、
一対の前記側面部の上端を連結している上面部に貫通孔を設けることにより、又は一対の前記側面部の上辺を開端とすることにより形成されている挿通孔部を有し、
一対の前記側面部それぞれにおいて前記中間面部とは反対側の辺が、少なくとも前記閉端部の近傍で開端となっている楔部本体と、
長平板状で、前記挿通孔部を介して前記楔部本体の内部空間に挿入されており、上下方向の長さが、前記挿通孔部の周縁から前記閉端部までの長さより長い抜け止め体、
該抜け止め体の上端に設けられた前記挿通孔部を通過不能な突起部、及び、
前記抜け止め体の長手方向の一対の側辺のうち一方の途中において、切り欠き状に形成された引掛け部、を有する抜け止め部材とを具備し、
前記ブラケットは、前記足場支柱の外周面に固着された一対の側面と、一対の該側面を連結する中間側面によって、横断面コ字形に形成されていると共に、一対の前記側面が下端に向かって幅が減少するテーパ状であることにより、前記中間側面が下端に向かうほど前記足場支柱に近づいており、
前記楔部本体が前記ブラケットに挿入されて、前記中間面部が前記足場支柱の前記外周面に当接しており、
前記抜け止め体が、板面を前記中間側面に対面させた状態で、前記楔部本体の内部空間を貫通しており、その下端側が前記楔部本体の一対の前記側面部における前記閉端部近傍の開端から外方に向かって斜めに延び出していると共に、前記抜け止め体の下端側が横断面コ字形の前記ブラケットの前記中間側面の下方に位置している
ことを特徴とする足場部材の連結構造。
【請求項３】
前記挿通孔部は、前記上面部に設けられた貫通孔であると共に、前記上面部は、円筒状または円柱状の前記横架材の外周面に沿うように湾曲しつつ一対の前記側面部の上端を連結しており、
前記引掛け部は、横向きのコ字状で、且つ、下方に向かって傾斜する切り欠き状である
ことを特徴とする請求項２に記載の足場部材の連結構造。
【請求項４】
請求項１に記載の足場部材と、
外周面に横断面コ字形のブラケットが設けられた足場支柱とを具備し、
前記楔部本体が前記ブラケットに挿入されて、前記中間面部が前記足場支柱の前記外周面に当接しており、
前記抜け止め体が前記楔部本体の内部空間を貫通しており、その下端側が前記楔部本体の一対の前記側面部における前記閉端部近傍の開端から外方に向かって斜めに延び出していると共に、前記抜け止め体の下端側が横断面コ字形の前記ブラケットの中間側面の下方に位置している
ことを特徴とする足場部材の連結構造。
【発明の詳細な説明】
【技術分野】
【０００１】
本発明は、足場支柱に連結される足場部材、及び該足場部材が足場支柱に連結された連結構造に関するものである。
【背景技術】
【０００２】
住宅やビル等の建物、橋梁やトンネル等の土木構造物の建築現場では、踏み板を架設するための横架材や、手摺り等として使用される横架材が、足場支柱に連結されて足場が構築されている。このように横架材を足場支柱に連結するために、従前より、図７に示すように、横架材Ｐ１の端部に楔部１１０が固着された足場部材１００が多用されている。この足場部材１００の楔部１１０が、足場支柱２の外周面に設けられた横断面コ字形のブラケット５０に挿入されることにより、横架材Ｐ１が足場支柱Ｐ２に連結される。
【０００３】
上記の足場部材１００は構造がシンプルで製造しやすく広く使用されているが、下方から加わる外力によって、楔部１１０がブラケット５０から抜け出しやすいという問題があった。そこで、本出願人は過去に、楔部１１０に抜け止めの構造を備えた足場部材を提案している（特許文献１参照）。
【０００４】
これは、楔部の一対の側面部にそれぞれ設けられた透孔から、ねじりバネに付勢された一対のストッパを外方に突出させ、ブラケットの内周面と干渉させて抜け止めとするものである。ストッパは下面が外側に向かって高くなる傾斜面であるため、楔部をブラケットに挿入する際には、ねじりバネの付勢に抗して透孔内に没入する。
【０００５】
しかしながら、特許文献１の足場部材は、部品点数が多くやや複雑な構造である点、ストッパによる抜け止めを解除する際に、ねじりコイルバネを楔部より外方に引き出して操作する作業が煩雑な点で、改善の余地があった。
【先行技術文献】
【特許文献】
【０００６】
【特許文献１】特開２０１２−５７３３６号公報
【発明の概要】
【発明が解決しようとする課題】
【０００７】
そこで、本発明は、上記の実情に鑑み、より簡易な構成で、足場支柱のブラケットに挿入された楔部を抜け止めすることができると共に、抜け止めの解除の容易な足場部材、及び、該足場部材が足場支柱に連結された連結構造の提供を課題とするものである。
【課題を解決するための手段】
【０００８】
上記の課題を解決するため、本発明にかかる足場部材は、
「横架材の少なくとも一方の端部に楔部を備える足場部材であって、
前記楔部は、
それぞれ前記横架材の端部に一部が固着されており、前記横架材の軸方向に交差する上下方向に延びていると共に、下端に向かって幅が減少するテーパ状となった一対の側面部、
一対の該側面部を前記横架材の端部に固着された側とは反対側で連結している中間面部、
一対の前記側面部の下端を連結することにより前記楔部の下端を閉端としている閉端部、及び、
一対の前記側面部の上端を連結している上面部に貫通孔を設けることにより、又は一対の前記側面部の上辺を開端とすることにより形成されている挿通孔部を有し、
一対の前記側面部それぞれにおいて前記中間面部とは反対側の辺が、少なくとも前記閉端部の近傍で開端となっている楔部本体と、
長板状で、前記挿通孔部を介して前記楔部本体の内部空間に挿入されており、上下方向の長さが、前記挿通孔部の周縁から前記閉端部までの長さより長い抜け止め体、及び、
該抜け止め体の上端に設けられた前記挿通孔部を通過不能な突起部、を有する抜け止め部材と、
を具備する」ものである。
【０００９】
「側面部」において「横架材の端部に一部が固着されている」部分は、横架材が円筒状又は円柱状である場合、その外周面に沿う湾曲面を有するものとすることができる。側面部は、下端に向かって幅が減少するテーパ状であるため、足場支柱の外周面に設けられた横断面コ字形のブラケットに楔部本体を挿入すると、側面部の側辺がブラケットの上端縁と干渉し、楔部本体がブラケット内にしっかりと保持される。
【００１０】
「中間面部」は、一対の側面部の片側を連結している面であり、足場部材が足場支柱に連結された状態においては、足場支柱の外周面に当接する部分である。中間面部は平板状であってもよいが、足場支柱が円筒状又は円柱状である場合には、足場支柱の外周面に沿う湾曲面とすれば、足場支柱との当接面が大きく、楔部本体がブラケットに保持された姿勢が安定する。
【００１１】
「閉端部」は、一対の側面部の下端同士を湾曲しつつ連結する形状や、一対の側面部それぞれと交差するように連結する平板状とすることができる。
【００１２】
「挿通孔部」は、上面部に貫通して設けられた孔部、及び、一対の側面部の上端を開端とすることにより形成される孔部の何れかが、選択的に採用されるものであるが、前者であれば、上面部を有することにより楔部本体の剛性がより高く望ましい。「上面部」を有する構成を採用した場合、横架材が円筒状又は円柱状であれば、その外周面に沿う湾曲面を有する上面部とすることができる。或いは、一対の側面部それぞれと交差するように連結する平板状の上面部としてもよい。
【００１３】
「一対の前記側面部それぞれにおいて前記中間面部とは反対側の辺」は、「少なくとも前記閉端部の近傍で開端となっている」ものであれば、閉端部から横架材の端部に固着されている部分までの全体に亘って開端となっている構成であっても、閉端部の近傍のみが開端となっている構成であってもよい。
【００１４】
「楔部本体」は、側面部や中間面部など複数の構成からなるが、例えば、一枚の鋼材をプレス成形する等により、一体に成形された構成とすることができる。或いは、側面部や中間面部などをそれぞれ構成する複数の板部材を、溶接等によって一体化することにより形成することができる。
【００１５】
長板状の「抜け止め体」は、直線状に延びる形状とすることができるが、下端が中間面部とは反対側へ屈曲又は湾曲している構成とすれば、詳細は後述する抜け止め作用がより確実となり、望ましい。
【００１６】
「突起部」は、挿通孔部を通過不能であれば形状は特に限定されないが、抜け止め体と一体で抜け止め体の上端から側方に延出している構成、抜け止め体の上端から側方に突出するようにピンが取り付けられている構成、抜け止め体の上端を屈曲させた構成、を例示することができる。
【００１７】
本構成の足場部材は、足場支柱の外周面に設けられた横断面コ字形のブラケットに楔部本体を挿入することによって足場支柱に連結され、その状態で、楔部本体を抜け止めすることが可能となる。すなわち、本願発明では、上下方向の長さが挿通孔部の周縁から閉端部までの長さより長い抜け止め体を有する抜け止め部材を具備している。そこで、抜け止め部材が引き上げられ抜け止め体の下端が楔部本体の内部に引き入れられている状態で、楔部本体を足場支柱のブラケットに挿入する。これにより、足場部材が足場支柱に連結される。その状態で、抜け止め体を更に下方に押し込む、或いは、自重により落下させると、楔部本体の下端は閉端部によって閉端とされているため、抜け止め体の下端は閉端部にぶつかり、直下へのそれ以上の移動が制限される。楔部本体の一対の側辺部は、中間面部とは反対側の辺が少なくとも閉端部の近傍で開端となっているため、上下方向の長さが挿通孔部の周縁から閉端部までの長さより長い抜け止め体の下端側は、その開端から外方に向かって斜めに延び出す。これにより、抜け止め体の下端側で外方に向かって斜めに延び出している部分を、ブラケットの下端縁と干渉させることが可能となる。従って、足場部材の横架材に下方から上方に向かう外力が加わった場合など、楔部本体に下方から上方に向かう外力が加わった場合に、楔部本体がブラケットから抜け出すことを抑制することができる。なお、抜け止め部材は、抜け止め体の上端に、挿通孔部を通過不能な突起部を有しているため、下方へのそれ以上の落下が制限されている。
【００１８】
一方、抜け止めを解除する際は、抜け止め部材を上方へ引き上げ、抜け止め体の下端側を、楔部本体の内部に閉端部の近傍の開端を介して引き入れる。これにより、抜け止め体が足場支柱のブラケットと干渉することがなくなるため、ブラケットから楔部を引き抜くことにより、足場部材と足場支柱との連結を解除することができる。
【００１９】
以上のように、本構成の足場部材によれば、極めて簡易な構成で、足場支柱のブラケットに挿入された楔部を抜け止めすることができると共に、極めて容易に抜け止めを解除することができる。
【００２０】
本発明にかかる足場部材は、上記構成に加えて、「前記抜け止め部材は、前記抜け止め体の長手方向の一対の側辺のうち一方の途中において、切り欠き状に形成された引掛け部を有する」ものとすることができる。
【００２１】
「引掛け部」としては、抜け止め体の長手方向の一対の側辺のうち一方の側辺の途中が、横向きのコ字状に切り欠かかれて形成された凹状部分の上辺によって構成されるもの、一方の側辺の途中から先端に向かって逆Ｌ字状に切り欠かれた部分の上辺によって構成されるものを、例示することができる。
【００２２】
本構成では、引掛け部を挿通孔部の周縁に上方から引き掛けることにより、抜け止め体の下端側が閉端部の近傍の開端から外側に延び出すことなく、楔部本体の内部に引き入れられている状態を保持することができる。これにより、楔部をブラケットから挿入する作業、或いは、楔部をブラケットから引き抜く作業の間、抜け止め体が落下しないよう作業者が把持している必要がなく、作業性の良いものとなる。例えば、ブラケットに楔部を挿脱する作業を、一人の作業者で効率良く行うことができる。
【００２３】
本発明にかかる足場部材は、上記構成に加えて、「前記抜け止め部材は、前記引掛け部より下端側で、一対の前記側辺の他方から突設された引掛け案内部を更に有する」ものとすることができる。
【００２４】
「引掛け案内部」は、引掛け部より下端側で、一対の側辺の他方から突出しているものであれば、その形状は特に限定されず、例えば、略円弧状、略三角形状、略四角形状に突出した構成とすることができる。
【００２５】
本構成では、引掛け部及び引掛け案内部が挿通孔部の周縁より上方に位置するように引き上げられた状態から、抜け止め部材を自重で落下させた場合、引掛け部より下方で側方に突出している引掛け案内部が、挿通孔部の周縁に当接する。これにより、抜け止め部材が傾くと共に、引掛け案内部と挿通孔部の周縁との衝突の反力によって、引掛け案内部が設けられた側とは反対側に抜け止め部材が移動する。抜け止め部材において引掛け案内部が設けられた側とは反対側には、引掛け案内部より上方に引掛け部が切り欠き状に形成されているため、この引掛け部が挿通孔部の周縁に引き掛かる。すなわち、引掛け案内部が、引掛け部が挿通孔部の周縁に引き掛る動きを案内する。従って、抜け止め部材を引き上げた状態から自然落下させるのみによって、自ずと引掛け部が挿通孔部の周縁に引き掛かるため、より容易に素早く、抜け止め体が楔部本体の内部に引き入れられている状態とすることができる。
【００２６】
次に、本構成にかかる足場部材の連結構造（以下、単に「連結構造」と称することがある）は、「上記に記載の足場部材と外周面に横断面コ字形のブラケットが設けられた足場支柱とを具備し、前記楔部本体が前記ブラケットに挿入されて、前記中間面部が前記足場支柱の前記外周面に当接しており、前記抜け止め体が前記楔部本体の内部空間を貫通しており、その下端側が前記楔部本体の一対の前記側面部における前記閉端部近傍の開端から外方に向かって斜めに延び出していると共に、前記抜け止め体の下端側が横断面コ字形の前記ブラケットの中間側面の下方に位置している」ものである。また、連結構造は、上記構成に加え、「前記ブラケットは、前記足場支柱の外周面に固着された一対の側面と、一対の該側面を連結する中間側面によって、横断面コ字形に形成されていると共に、一対の前記側面が下端に向かって幅が減少するテーパ状であることにより、前記中間側面が下端に向かうほど前記足場支柱に近づいており、前記抜け止め体は、長平板状でその板面を前記中間面部及び前記中間側面に対面させた状態で、前記楔部本体の内部空間を貫通している」ものとすることができる。更に、連結構造は、上記構成に加え、「前記挿通孔部は、前記上面部に設けられた貫通孔であると共に、前記上面部は、円筒状または円柱状の前記横架材の外周面に沿うように湾曲しつつ一対の前記側面部の上端を連結しており、前記引掛け部は、横向きのコ字状で、且つ、下方に向かって傾斜する切り欠き状である」ものとすることができる。
【００２７】
本構成の連結構造は、外周面に横断面コ字状のブラケットを有する足場支柱に、上記構成の足場部材が連結されており、足場部材の抜け止め体が、楔部本体のブラケットからの抜け止めとして作用している状態の連結構造である。本構成においては、楔部本体の内部空間を貫通している抜け止め体の下端側が、楔部本体の閉端部近傍の開端から外方に向かって斜めに延び出しており、その下端側が横断面コ字形のブラケットの中間側面の下方に位置している。これにより、足場部材の横架材に対して下方から上方に向かう外力が加わった場合など、楔部本体に下方から上方に向かう外力が加わったとき、抜け止め体の下端側がブラケットの下端縁と干渉するため、楔部本体が上方に抜け出ることが抑制される。
【発明の効果】
【００２８】
以上のように、本発明の効果として、より簡易な構成で、足場支柱のブラケットに挿入された楔部を抜け止めすることができると共に、抜け止めの解除の容易な足場部材、及び、該足場部材が足場支柱に連結された連結構造を、提供することができる。
【図面の簡単な説明】
【００２９】
【図１】本発明の一実施形態である足場部材について、（ａ）抜け止め体が楔部本体を貫通している状態、及び、（ｂ）引掛け部が挿通孔部の周縁に引き掛けられている状態、を示す斜視図である。
【図２】図１の足場部材の連結構造について、抜け止め体が（ａ）抜け止めとして作用している状態、及び、（ｂ）抜け止めとして作用していない状態、を示す斜視図である。
【図３】図１の足場部材の連結構造について、抜け止め体が（ａ）抜け止めとして作用している状態、及び、（ｂ）抜け止めとして作用していない状態、を示す縦断面図である。
【図４】図１の足場部材における抜け止め部材の動作の説明図である。
【図５】他の実施形態の足場部材の側面図である。
【図６】図５とは異なる他の実施形態の足場部材の側面図である。
【図７】従来の足場部材が足場支柱に連結された連結構造の側面図である。
【発明を実施するための形態】
【００３０】
以下、本発明の第一実施形態である足場部材１について、図１乃至図４を用いて説明する。足場部材１は、ブラケット５０を介して足場支柱Ｐ２に連結されるものである。ここで、足場支柱Ｐ２は円筒状または円柱状であり、複数のブラケット５０が外周面に設けられている。それぞれのブラケット５０は、足場支柱Ｐ２の外周面に固着された一対の側面５１と、一対の側面５１を連結する中間側面５２によって、横断面コ字形に形成されている。
【００３１】
本発明の一実施形態である足場部材１は、円筒状または円柱状の横架材Ｐ１の少なくとも一方の端部に楔部１０を備える足場部材であって、楔部１０は、楔部本体２０と抜け止め部材３０とを具備している。
【００３２】
楔部本体２０は、横架材Ｐ１の端部に一部が固着されており、横架材Ｐ１の軸方向に交差する上下方向に延びていると共に、下端に向かって幅が減少するテーパ状となった一対の側面部２１と、一対の側面部２１を横架材Ｐ１の端部に固着された側とは反対側で連結している中間面部２２と、一対の側面部２１の下端を連結することにより楔部１０の下端を閉端としている閉端部２３と、一対の側面部２１の上端を連結している上面部２４に貫通孔を設けることにより形成されている挿通孔部２５とを有しており、一対の側面部２１それぞれにおいて中間面部２２とは反対側の辺が開端２９となっている。
【００３３】
抜け止め部材３０は、長板状で、挿通孔部２５を介して楔部本体２０の内部空間に挿入されており、上下方向の長さが、挿通孔部２５の周縁２６から閉端部２３までの長さより長い抜け止め体３１と、抜け止め体３１の上端に設けられた挿通孔部２５を通過不能な突起部３２とを有している。加えて、抜け止め部材３０は、抜け止め体３１の長手方向の一対の側辺のうち一方の途中において、切り欠き状に形成された引掛け部３３と、引掛け部３３より下端側で、一対の側辺の他方から突設された引掛け案内部３４とを、更に有している。
【００３４】
楔部本体２０の構成についてより詳細に説明すると、側面部２１が横架材Ｐ１の端部に固着されていると共に、上面部２４も横架材Ｐ１の端部に固着されている。側面部２１は、上部側で横架材Ｐ１の端部に固着されており、この部分は円筒状または円柱状の横架材Ｐ１の外周面に沿うように湾曲している。それより下端側の側面部２１は、下端に向かって幅が減少するテーパ状となっており、この部分がブラケット５０内に挿入される。上面部２４は、横架材Ｐ１の外周面に沿うように湾曲しつつ一対の側面部２１の上端を連結していると共に、一方の側辺側で横架材Ｐ１に固着されている。中間面部２２は、横架材Ｐ１に固着されている側とは反対側で、一対の側面部２１の側辺、及び上面部２４の側辺を連結している。なお、中間面部２２は、円筒状または円柱状の足場支柱Ｐ２の外周面に沿うよう湾曲している。閉端部２３は、一対の側面部２１の下端同士を湾曲しつつ、連結している。
【００３５】
上面部２４には、抜け止め体３１の横断面の外形より少し大きく、上面部２４を貫通する挿通孔部２５が形成されている。更に、楔部本体２０では、一対の側面部２１それぞれにおいて、中間面部２２とは反対側の辺が、閉端部２３から横架材Ｐ１の端部に固着されている部分までの全体に亘って開端２９となっている。なお、楔部本体２０は、一枚の鋼材がプレス成形されることにより、側面部２１、中間面部２２、閉端部２３、及び上面部２４が一体に成形されている。
【００３６】
抜け止め部材３０の構成についてより詳細に説明すると、抜け止め体３１は直線状に延び、その下端は、楔部本体２０の中間面部２２とは反対側に向かって略Ｌ字状に屈曲した屈曲部分３５を有している。突起部３２は、抜け止め体３１と一体であり、抜け止め体３１に対して直角をなすように、抜け止め体３１の上端から両側に延出している。引掛け部３３は、抜け止め体３１の長手方向の一対の側辺のうち一方の側辺の途中が、横向きのコ字状に切り欠かかれて形成された凹状部分の上辺によって構成されている。本実施形態の引掛け部３３は、下方に向かって傾斜するように形成されている。更に、引掛け案内部３４が、引掛け部３３より下端側で、一対の側辺の他方から略円弧状に突設されている。
【００３７】
なお、横架材Ｐ１において、楔部１０が設けられた端部側の下面には、補強プレート４０が固着されている。この補強プレート４０は、足場部材１と足場支柱Ｐ２との連結を解除する際、楔部１０を足場支柱Ｐ２のブラケット５０から抜け出させるために、ハンマー等で横架材Ｐ１を下方から叩く場合に、この打撃を受ける部分であり、補強プレート４０によって外力による横架材Ｐ１の変形が抑制されている。補強プレート４０の端部は、楔部本体２０の内部まで達しており、抜け止め体３１の直線状の部分が楔部本体２０の内部空間で上下に移動することは妨げないが、抜け止め体３１の下端の屈曲部分３５とは干渉する位置まで、延出している。
【００３８】
次に、上記構成の足場部材１が足場支柱Ｐ２に連結された連結構造、及び、抜け止め部材３０の動作及び作用について説明する。
【００３９】
ブラケット５０に楔部１０を挿入する際には、突起部３２を把持して、抜け止め部材３０を上方に引き上げ、抜け止め体３１の下端側が楔部本体２０の内部に引き入れられた状態とする。そして、引掛け部３３を挿通孔部２５の周縁２６に引き掛けることにより、抜け止め体３１が楔部本体２０の内部に引き入れられた状態を保持することができる（図１（ｂ）参照）。本実施形態では、挿通孔部２５が設けられた上面部２４が、外形が円形の横架材Ｐ１の外周面に沿うように湾曲しており、引掛け部３３が下方に向かって傾斜しているため、引掛け部３３を挿通孔部２５の周縁２６に引き掛けた姿勢が安定する。
【００４０】
ここで、抜け止め部材３０を引き上げた状態から、抜け止め部材３０を自然落下させることによって、自ずと、引掛け部３３が挿通孔部２５の周縁２６に引き掛けられた状態とすることができる。つまり、引掛け案内部３４が挿通孔部２５より上方に位置するまで抜け止め部材３０を引き上げた状態で（図４（ａ）参照）、抜け止め部材３０を落下させると、引掛け案内部３４が挿通孔部２５の周縁２６に当接し、抜け止め部材３０が傾く（図４（ｂ）参照）。これと同時に、引掛け案内部３４と挿通孔部２５の周縁２６との衝突の反力によって、抜け止め部材３０が引掛け案内部３４が設けられた側とは反対側に移動し、自ずと、引掛け部３３が挿通孔部２５の周縁２６に引き掛かる（図４（ｃ）参照）。
【００４１】
なお、抜け止め部材３０を上方に引き上げる際、抜け止め体３１の先端の屈曲部分３５が補強プレート４０の端部と干渉することにより、それ以上の上昇が制限されるため、抜け止め部材３０が過度に引き出されることがない。すなわち、本実施形態では、横架材Ｐ１を補強する補強プレート４０が、抜け止め部材３０の上昇を制限するストッパを兼ねている。抜け止め体３１の下端の屈曲部分３５を挿通孔部２５の下端縁と干渉させることによって、抜け止め部材３０の上昇を制限する構成とすることも可能であるが、この場合は挿通孔部２５の下端縁との接触点を中心に抜け止め部材３０が回動してしまい、抜け止め部材３０の姿勢が不安定となる。これに対し、補強プレート４０が抜け止め部材３０の上昇を制限するストッパを兼ねている本構成では、上下動させる抜け止め部材３０が大きく傾くことがないため、操作性が良いという利点がある。
【００４２】
抜け止め体３１の下端側が楔部本体２０の内部に引き入れられている状態で、図２（ｂ）及び図３（ｂ）に示すように、楔部１０をブラケット５０に挿入する。楔部本体２０の側面部２１は、下端に向かって幅が減少するテーパ状であるため、側面部２１の側辺がブラケット５０の上端縁と干渉し、楔部本体２０がブラケット５０内にしっかりと保持される。また、楔部本体２０の中間面部２２は、足場支柱Ｐ２の外周面に当接する。特に、本実施形態では、中間面部２２が足場支柱Ｐ２の外周面に沿うように湾曲しているため、中間面部２２が足場支柱Ｐ２の外周面に広い面積で当接し、楔部本体２０がブラケット５０に保持された姿勢が安定する。
【００４３】
そして、抜け止め部材３０の挿通孔部２５の周縁２６に引き掛けられている引掛け部３３を外し、抜け止め部材３０を楔部本体２０の内部に落とし込むと、図２（ａ）及び図３（ａ）に示すように、抜け止め体３１が抜け止めとして作用している状態なる。具体的には、下方に落とし込まれた抜け止め部材３０の下端は、楔部本体２０の閉端部２３にぶつかり、直下へのそれ以上の移動が制限される。上述のように楔部本体２０の側面部２１は、閉端部２３の近傍で開端２９となっており、抜け止め体３１の長さは挿通孔部２５の周縁２６から閉端部２３までの長さより長いため、抜け止め体３１の下端側は開端２９から外方に向かって斜めに延び出す。
【００４４】
これにより、抜け止め体３１が楔部本体２０の内部空間を貫通しており、その下端側が楔部本体２０の一対の側面部２１における閉端部２３近傍の開端２９から外方に向かって斜めに延び出していると共に、抜け止め体３１の下端側が横断面コ字形のブラケット５０の中間側面５２の下方に位置している、足場部材１の連結構造が形成される。
【００４５】
このような連結構造では、足場部材１の横架材Ｐ１に下方から上方に向かう外力が加わった場合など、楔部本体２０に下方から上方に向かう外力が加わったときに、楔部本体２０から外方に斜めに延び出している抜け止め体３１の下端側が、ブラケット５０の中間側面５２の下端縁と干渉するため、楔部本体２０がブラケット５０から抜け出すことが抑制されている。特に、本実施形態では、抜け止め体３１の下端に、外方に向かって略Ｌ字状に屈曲した屈曲部分３５を有しているため、ブラケット５０の中間側面５２の下端縁に当接した際に滑りにくく、抜け止めの作用がより確実に発揮される。なお、抜け止め部材３０は、上端に挿通孔部２５を通過不能な突起部３２を有しているため、この突起部３２が上面部２４における挿通孔部２５の周縁２６に当接することにより、抜け止め部材３０のそれ以上の落下を制限している。
【００４６】
更に、本実施形態の連結構造では、楔部本体２０を斜めに貫通している抜け止め体３１に対して、自重により、挿通孔部２５の周縁２６との当接点を中心として下方に回動させる力が作用する。これにより、抜け止め体３１から楔部本体２０を足場支柱Ｐ２に向かって押圧する力が作用することとなり、ブラケット５０内に楔部本体２０が保持された状態が安定する。
【００４７】
一方、連結構造を解除する際は、まず、抜け止め部材３０を上方へ引き上げて抜け止め体３１の下端側を楔部本体２０の内部に引き入れ、抜け止めとして作用していない状態にする。上記と同様に、引掛け部３３が挿通孔部２５の周縁２６に引き掛けられることにより、その状態を保持することができるため（図２（ｂ）参照）、作業性良くブラケット５０から楔部１０を引き抜くことができ、足場部材１と足場支柱Ｐ２との連結を解除することができる。
【００４８】
以上のように、本実施形態の足場部材１によれば、楔部本体２０を斜めに貫通可能な抜け止め部材３０を備えるという極めて簡易な構成でありながら、楔部１０のブラケット５０からの抜け出しを有効に抑制することができ、且つ、抜け止めの解除も極めて容易である。
【００４９】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５０】
例えば、本発明の足場部材１は、横架材Ｐ１の少なくとも一方の端部に楔部１０を備えるため、もちろん図５に示すように、横架材Ｐ１の両方の端部に楔部１０を備える足場部材２とすることができる。
【００５１】
また、横架材Ｐ１及び楔部１０に加えて、他の構成を備える足場部材とすることができる。例えば、図６に示すように、横架材Ｐ１の途中から下方に向かって斜めに延び、先端を足場支柱Ｐ２の外周面に当接させる斜材６１を有する足場部材３に、本発明を適用することができる。足場部材３は、ブラケット５０とは離れた位置で、足場支柱Ｐ２に横架材Ｐ１を支持させる斜材６１、及び斜材６１を先端側で横架材Ｐ１と連結する連結材６２を有していることにより、横架材Ｐ１に上方から加えられる力に対する強度が高い。そのため、踏み板を架け渡す足場部材として、足場部材３を用いることができる。
【符号の説明】
【００５２】
１  足場部材
１０  楔部
２０  楔部本体
２１  側面部
２２  中間面部
２３  閉端部
２４  上面部
２５  挿通孔部
２９  開端
３０  抜け止め部材
３１  抜け止め体
３２  突起部
３３  引掛け部
３４  引掛け案内部
５０  ブラケット
５２  中間側面
Ｐ１  横架材
Ｐ２  足場支柱
【図１】
0006026988.tif 000002
【図２】
0006026988.tif 000003
【図３】
0006026988.tif 000004
【図４】
0006026988.tif 000005
【図５】
0006026988.tif 000006
【図６】
0006026988.tif 000007
【図７】
0006026988.tif 000008